(57)【要約】【課題】  チップを溜める収容部が断然大きく、しかも軽量にしてハンドリングに優れると共に低コスト化につながり、さらに紙をシュレッダーをかける時にチップの溜まり状況が自然に目に入ってくるシュレッダーを提供する。【解決手段】  上面開口１０のプラスチック製ペール容器１と、該ペール容器１の上面開口１０に着脱自在に蓋ができるようにすると共に上面部２１にシュレッダー口２１ａが設けられた蓋体２と、前記シュレッダー口２１ａに紙７が裁断されて放出される排出口３３を合わせて、該蓋体２上に取着されるシュレッダー本体３と、を具備し、且つ前記蓋体２の上面部２１の一部に該シュレッダー本体３が設けられる。【選択図】  図１
2006212465.tif 000002
【特許請求の範囲】
【請求項１】
上面開口のプラスチック製ペール容器(１)と、
該ペール容器の上面開口に着脱自在に蓋ができるようにすると共に上面部にシュレッダー口が設けられた蓋体(２)と、
前記シュレッダー口に紙が裁断されて放出される排出口を合わせて、該蓋体上に取着されるシュレッダー本体(３)と、を具備し、且つ前記蓋体の上面部の一部に該シュレッダー本体が設けられるようにしたことを特徴とするシュレッダー。
【請求項２】
前記蓋体の上面部に、該蓋体で前記ペール容器が蓋された状態下でペール容器内を透視し得る透明部分が設けられた請求項１記載のシュレッダー。
【請求項３】
比重が１以上のブロック体にして、前記ペール容器の下部に嵌合する凹部が形成されてなる基盤(４)を、さらに具備する請求項２記載のシュレッダー。
【発明の詳細な説明】
【技術分野】
【０００１】
本発明は不要文書等の紙を細かく裁断するシュレッダーに関する。
【背景技術】
【０００２】
機密保持のために不要文書等の紙を細かく裁断するシュレッダーがオフィスなどで用いられている。紙が細かく裁断されたチップは、回収箱に溜まっていくため、適宜回収箱を取り出して該チップを捨てるようになっている。
ここで、従来のシュレッダーは外ケースの上部にカッターを内蔵したシュレッダー本体が収まると共に外ケースの下部に前記回収箱が納まるタイプが一般的で、シュレッダーが大きい割に回収箱が小さく、すぐにチップが溜まってしまう不具合があった。頻繁に回収箱を取出し、チップを捨てなければならなかった。また回収箱からチップがこぼれて掃除が大変であった。そこで、斯る不具合を解消するシュレッダーが提案された(例えば特許文献１参照。)。
【０００３】
【特許文献１】特開２０００−７０７４６公報（以下、「従来技術１」という。）
【発明の開示】
【発明が解決しようとする課題】
【０００４】
しかし、従来技術１には以下のような問題があった。第１にシュレッダー本体たる剪断部と回収箱に相当する回収部とでつくるシュレッダー外形が直方体形状になっており、従来品と変わらず依然として回収部が小さかった。デザイン的に優れていても回収部の容量が小でチップが溜まり易く、捨てる頻度が多いために煩わしかった。チップを捨てる一回に要する手間は、チップ量の大小に関わらずさほど違いがないことから、チップを捨てる回数が多くなると、それに応じて作業時間,労苦が増えた。
また、従来技術１は溜まったチップが外から見えるように回収袋を透明素材にしているが、回収部の扉を開けないと見えなかった。シュレッダー裁断をかける時に常にチップの溜まり状況をチェックするというわけにいかないために、チップを回収部から溢れさせたり、チップの廃棄処理が遅れたりしてチップを溜め込みすぎこぼしてしまう問題があった。
さらに、シュレッダーは紙を細かく裁断するシュレッダー本体部分が本質的機能部分であるにもかかわらず、従来品は装置全体として統一させて製品化しているためにその分、コスト高になっていた。加えて、重量のあるシュレッダー本体を回収部が支える構造のため、回収部も金属製等にして重量的に重くなっていた。
【０００５】
本発明は上記問題点を解決するもので、チップを溜める収容部が断然大きく、しかも軽量にしてハンドリングに優れると共に製造コストが安く、さらに紙をシュレッダーにかける時にチップの溜まり状況が自然に目に入ってくるシュレッダーを提供することを目的とする。
【課題を解決するための手段】
【０００６】
上記目的を達成すべく、請求項１に記載の発明の要旨は、上面開口のプラスチック製ペール容器(１)と、該ペール容器の上面開口に着脱自在に蓋ができるようにすると共に上面部にシュレッダー口が設けられた蓋体(２)と、前記シュレッダー口に紙が裁断されて放出される排出口を合わせて、該蓋体上に取着されるシュレッダー本体(３)と、を具備し、且つ前記蓋体の上面部の一部に該シュレッダー本体が設けられるようにしたことを特徴とするシュレッダーにある。
請求項２の発明たるシュレッダーは、請求項１で、蓋体の上面部に、該蓋体で前記ペール容器が蓋された状態下でペール容器内を透視し得る透明部分が設けられたことを特徴とする。
請求項３の発明たるシュレッダーは、請求項２で、比重が１以上のブロック体にして、前記ペール容器の下部に嵌合する凹部が形成されてなる基盤(４)を、さらに具備することを特徴とする。
【０００７】
請求項１のようにペール容器(１)と蓋体(２)とシュレッダー本体(３)とを具備すると、蓋体の上面部の一部に該シュレッダー本体が設けられることによって、ゴミ箱などにも利用される市販の大容量のペール容器に大きな収容部を担わせることができる。さらにペール容器そのものをシュレッダーの外側ケースを担わせることができるので、前記収容部全てをチップの溜め込む室に利用でき、長期継続してシュレッダー作業が行えるようになる。大容量のペール容器がプラスチック製になって、軽量にしてハンドリングに優れると共に低コスト化につながる。
請求項２のように透明部分が設けられると、シュレッダー裁断をかける時に下を向くことからチップの溜まり状況が自然と目に入ってくる。
請求項３のように基盤を設けると、軽量にして大きなペール容器の上にシュレッダー本体が載っても、シュレッダーの装置姿勢が安定し転倒しなくなる。
【発明の効果】
【０００８】
本発明のシュレッダーは、シュレッダー本体に対してチップを溜める収容部が非常に大きくなって、しかも装置全体が軽量にして低コスト製造できると共にハンドリングに優れ、さらに紙をシュレッダーにかける時にチップの溜まり状況が自然に目に入り、チップの除去,回収時期を適切に知ることができるなど優れた効果を発揮する。
【発明を実施するための最良の形態】
【０００９】
以下、本発明に係るシュレッダーについて詳述する。
(１)実施形態１
図１〜図５は本発明のシュレッダーの一形態で、図１はその全体斜視図、図２は正面視で見る図１の縦断面概略図、図３は側面視で見る図１の縦断面概略図、図４はシュレッダー本体が一体化した蓋体の裏面図、図５はペール容器の斜視図である。なお、図３では段差部の図示を省略する。
【００１０】
シュレッダーはペール容器１と蓋体２とシュレッダー本体３と基盤４とを具備する。
ペール容器１は上面開口１０の市販品で、汎用のプラスチック製ペール(バケツ)である。ペール容器１は食品貯蔵や、漬物を漬けたり水などを溜めたりするのに幅広く用いられており、容量として６０リットル,９０リットル等の大型容器がある。本実施形態のペール容器１は積水ライフテック株式会社製で９０リットル用の商品名「角ペール」を用いている。ほぼ四角形した底部１１から側部１２が上方へ向かって口が末広がりになるようにして収容部１３を大きくする。そして、側部１２はその上縁で外方に縦断面「Ｊ」字状に屈曲する外巻部分１２ｄを形成して上面開口１０の周りの側部強度を強くしている(図５)。符号１２ｂは側部上縁付近に設けられた段差部、符号１２ｆは段差部１２ｂの付近で外方に突出する外鍔状にして蓋体２の把手２３と係合する引掛部、符号１２ｅは該引掛部の付近で内方に張り出す内張出部分、符号１２ｇは補強片部、符号１７は基台を示す(図２)。市販の所定のペール容器１をそのまま用いてもよいが、ここでは、前記内張出部分１２ｅの上面１２ｅ１に直方体の木材片１４を固着する。シュレッダー本体３に係る側壁３０ｃの突出部分３０ｃ１(後述)が、図２のごとく該木材片１４上に載って、該ペール容器１でシュレッダー本体３を安定支持できるようにする。
なお、本実施形態は市販の汎用ペールに木材片１４を固着加工したペール容器１としたが、市販の汎用ペールをそのまま用いることができる。汎用品を使用することによってシュレッダーの低コスト化に貢献する。勿論、本発明のペール容器１は、市販品でなく、専用のプラスチック製ペール容器１を別途製造してもよい。
【００１１】
蓋体２は前記ペール容器１の上面開口１０に着脱自在に蓋が可能な天蓋にすると共にその上面部２１にシュレッダー口２１ａが設けられた上蓋である(図１)。本実施形態の蓋体２は、市販の前記ペール容器１の適合商品として別売されている汎用蓋にシュレッダー口２１ａを穿設したものとなっている。前記ペール容器１に蓋ができるプラスチック製汎用蓋を利用した蓋体２は、ペール容器１の上面開口１０よりも若干大きめの平坦なほぼ四角形の上面部２１と該上面部の周縁を９０°の角度で下方へ折曲してなる折曲部２２とを備える。折曲部２２の短手部分に支軸２４を軸に回動自在の把手２３が設けられている。
本実施形態は、把手２３又は前記引掛部１２ｆに図示しないセンサが取付けられ、把手２３が引掛部１２ｆに係合し、蓋体２とペール容器１が一体化したときにのみ、紙７を裁断するカッター部３１のモータ３２の作動が可能になり、且つシュレッダー本体３に作動が可能になった旨の表示ランプ３８を点灯する。さらに蓋体２の上面部２１に、該蓋体２で前記ペール容器１が蓋された状態下でペール容器１内を透視し得る透明部分２ｂ２が設けられる。詳しくは、汎用蓋の周縁近くを周回するようカッターでカットし、周縁平坦部を僅かに残すだけにして汎用蓋の上面部の殆どを切り抜いてなる開設孔２ａ１がある蓋本体２ａを製造する。そして、該開設孔よりも一回り大きな透明のアクリル樹脂等のプラスチック製透明板２ｂを用意し、該透明板２ｂを開設孔２ａ１に蓋する形で蓋本体２ａに載置し、ボルト,ナット等の止具２７で固着することによって蓋体２を得る(図１,図４)。透明板２ｂの中央部位に長方形したシュレッダー口２１ａが設けられ、またシュレッダー本体３に係る側壁の突出部分３０ｃ１が貫通できるよう、該突出部分用の穿設孔２１ｂが透明板２ｂに設けられる。符号２５は補強片部を示す。
ここでの蓋体２はペール容器１の適合商品として別売の汎用蓋を加工したものであるが、蓋体２はシュレッダー本体３と一体化したものとして新たに製造してもよい。蓋体２とシュレッダー本体３に係るケースカバー３０との一体成形品を造れば、低コスト化が図れる。
【００１２】
シュレッダー本体３は、紙７が裁断されて放出される排出口３３を前記シュレッダー口２１ａに合わせて、前記蓋体２上に取着されるシュレッダーの裁断主要部である。シュレッダー本体３は紙７がカッター部３１で裁断されて排出口３３から細かくなったチップ７５が放出される構造になっている。公知のシュレッダー構造で充足し、電動,手動を問わない。
本実施形態は、市販のシュレッダー装置で紙７を裁断するカッター部３１がある装置上部をシュレッダー本体３として切り離し、これを用いる。シュレッダー本体３は、モータ３２によって駆動するカッター部３１が、ケースカバー３０の上面側の投入口３０１から投入される紙７を細かくチップ状に裁断する。カッター部３１は一対の支軸３１ａに切刃３１ｂを取着し、紙７を紙吹雪状に細かく切ってチップ７５にする(図２)。シュレッダーとして組立てられると、裁断されたチップ７５が排出口３３から放出落下してペール容器１に収容される。正面壁３０ａと背面壁３０ｂと両側壁３０ｃと上壁３０ｄと底壁３０ｅとで中空直方体状のケースカバー３０とし、上壁３０ｄに紙７の投入口３０１が設けられる。底壁３０ｅには前記排出口３３が形成され、符号３０ｅ１は底壁３０ｅの当て部材である。正面壁３０ａと背面壁３０ｂは簡単に取外し可能にしてメンテナンス修理を行い易くする。該ケースカバー３０の側壁３０ｃの下端は突出部分３０ｃ１として底壁３０ｅから出っ張り、前記穿設孔２１ｂを貫通しペール容器１内へ突出する。符号３４はモータ３２のメインスイッチ、符号３５はスタートボタン、符号３６はストップボタン、符号３７は逆転ボタン、符号３９１はモータ駆動用コード、符号３９２はコンセントを示す。符号３８は表示ランプで、前述のごとく蓋体２の把手２３がペール容器１の引掛部１２ｆに正しく取付けられている時に点灯する他、カッター部３１の電源が入っている時や、ペール容器１内に溜まったチップ７５がいっぱいになった時に点灯する表示ランプ３８,３８,…が並んでいる。
なお、本実施形態のシュレッダー本体３は市販のシュレッダー装置を転用,加工したが、本発明のシュレッダー用にシュレッダー本体３を新たに製造し、これを用いることができる。
【００１３】
そして、シュレッダー本体３が前記蓋体２に係る透明板２ｂの上面部の一部に設けられる構成である。ここでは、シュレッダー本体３の平面視大きさに比べ、透明板２ｂの平面視大きさを３〜５倍、蓋体２の平面視大きさを４〜８倍の範囲とし(図１,図３)、透明板２ｂのほぼ中央で長手方向にシュレッダー本体３を載せて、これを該透明板にボルト,ナット等からなる止具２８で固定する。側壁下端の突出部分３０ｃ１が穿設孔２１ｂを貫通しペール容器１の収容部１３側に突出するので、シュレッダー本体３は透明板２ｂへの位置合わせが楽で、且つ蓋体２に安定固定される。シュレッダー本体３が透明板２ｂの上面部の一部だけを占めて載置され、シュレッダー本体３の両サイド(正面側及び背面側)に透明板２ｂの透明部分２ｂ２が現れるようにして取付けられている。
【００１４】
基盤４は比重が１以上のブロック体にして、前記ペール容器１の下部１ａに嵌合する凹部４が形成されてなる転倒防止用部材である。プラスチック製のペール容器１は軽量であるため、その上面開口１０にシュレッダー本体３付き蓋体２が載ったときに上部が重くなって不安定になる場合がある。コンクリート製等の重量のある方形ブロック体の中央に凹部４を設けた基盤４が適宜準備される。ペール容器１の下部１ａが該凹部４に嵌合し、凹部４にペール容器１を嵌合一体化させた状態にしてシュレッダーが設置されることによって、該シュレッダー言い換えればペール容器１の転倒防止が図られる。
符号９は上縁を上面開口１０に合わせて口を広げ、ペール容器１内に適宜配設されるゴミ袋を示す。
【００１５】
(２)実施形態２
本実施形態は図６のごとくの丸いペール容器１に適用したシュレッダーである。ペール容器１として、積水ライフテック株式会社製で９０リットル用の商品名「丸ペール」をそのまま用いている。上面開口１０が円形のプラスチック製ペール容器１である。
シュレッダー本体３は、簡易小型の市販シュレッダーのカッター部３１が内蔵された上部部分を分離したものを使用する。シュレッダー本体３はケースカバー３０の上面に設けた投入口３０１に紙７を投入すると、紙７が短冊状の細長く切られたチップ７５に裁断されて排出口３３から放出される。
【００１６】
蓋体２は丸い前記ペール容器１の適合商品として別個販売されている市販の汎用蓋を加工したものである。該汎用蓋はペール容器１の上面開口１０に着脱自在に蓋ができるようになっているが、その上面部２１の外周縁部分の一定幅を残して上面部２１を円形にくり抜き、開設孔２ａ１のある蓋本体２ａを造る。そして、該開設孔２ａ１よりも一回り大きな円形の透明アクリル樹脂等のプラスチック製透明板２ｂを用意し、該透明板２ｂが開設孔２ａ１に蓋する形で蓋本体２ａに載置し止具２７で固着することによって蓋体２を造る。透明板２ｂの中央部(一部)に長方形したシュレッダー口２１ａが設けられるが、該シュレッダー口２１ａに排出口３３を合わすようにして前記シュレッダー本体３が該透明板２ｂ上に固着される。蓋体２,透明板２ｂの平面視大きさは図示のごとくシュレッダー本体３の平面視大きさに比べて断然大きく、蓋体２で前記ペール容器１が蓋された状態下で、ペール容器１内を透視し得る透明部分２ｂ２が蓋体２の上面部２１に設けられる格好になっている。
他の構成は実施形態１と同様で、その説明を省く。実施形態１と同一符号は同一又は相当部分を示す。
【００１７】
(３)実施形態１,２の効果
このように構成した実施形態１,２シュレッダーは、簡単な構造で大容量のペール容器１を用い、そのペール容器１の収容部１３の全てがチップの７５貯溜に利用できるので、シュレッダー本体３が小さい割にチップ７５を大量に収容できる。チップ７５をバスケットに収納する内蔵型のシュレッダー(例えば特開平11-10018号公報等)と違って、ペール容器１そのものがチップ７５の収容部１３になる。ゴミ箱等に利用されている市販のペール容器１の上蓋を取り替えるだけでシュレッダーとして使える。蓋体２の一部にシュレッダー本体３を設けて容量の大きなペール容器を用いているので、チップ７５を溜める収容部１３が従来品に比べ格段に大きくなり、チップ７５の回収,廃棄処理しなくても長期間に亘ってシュレッダー処理ができる。これまでのようにチップ７５を頻繁に捨てる手間がいらない。例えば、実施形態１でシュレッダー本体１の平面視大きさの５倍の平面視大きさの蓋体２が採用されれば、他の寸法が全く同じでも５倍のチップ７５を溜め込むことができる。毎日チップ７５を捨てる作業がある場合は一週間に一回に減らすことができる。ペール容器１がシュレッダーの外ケースを担うと共に回収箱となる収容部１３を形成するので、実際にはチップ７５をもっと長期間溜め込むことができる。チップ７５を捨てる回数が激減して、その作業時間が減り、作業者の労苦を解放する。しかもチップ７５を収容する回収部に市販のプレスチック製ペール容器１を用いているので、軽量にしてシュレッダーの移動、持ち運びが容易になる。チップ７５を溜め込んだペール容器１を持ってチップ７５の廃棄処理をそのまま行うことができる。ペール容器自体が軽いのでチップ７５の廃棄処理も作業者負担が軽くなる。ゴミ箱等としても利用される汎用ペール容器１を用いているので、図２のごとく該ペール容器１用の市販ゴミ袋９を収容部１３に配してからシュレッダー処理すれば、チップ７５が溜ったゴミ袋９を持ち上げてペール容器１なしの状態でチップ７５の廃棄処理ができる。汎用ペール容器がゴミ箱として用いられることから、市販のゴミ袋９を利用でき、且つ通常のゴミ出しの要領で簡単に実施できる。ゴミ箱とシュレッダーの共用化もでき便利になる。
【００１８】
また、ペール容器１や蓋体２の外形そのものがシュレッダーの外側パネルを兼用し、本シュレッダーの構成をシンプルにする。汎用のペール容器１をそのまま或いは若干加工してシュレッダーの回収箱兼外ケースとして用いることができるので、シュレッダーの装置全体の低コスト化が図られる。汎用ペール容器１が市場に存在するため、新たな型を起す必要がない。蓋体２もペール容器１に適合する市販の汎用蓋を若干加工して用いることができるので、低コストでシュレッダーを製造できる。
さらに、蓋体２の上面部２１に透明板２ｂが取着され、該蓋体２でペール容器１が蓋された状態下でペール容器１内を透視し得る透明部分２ｂ２が設けられるので、シュレッダーで紙７を裁断をかける時にチップ７５の溜まり状況が自然と目に入ってくる。回収部のケース扉をいちいち開けて中を覗かないとチップ７５の溜まり状況が判らなかった従来品と違って、不要文書の紙７を投入口３０１に入れてシュレッダーにかけるとき、必然的に下を向くことから、透明板２ｂを介して収容部１３内のチップ７５の溜まり状況が目に飛び込んでくる。従って、チップ７５の溜まり具合を判断して適切にチップ７５の廃棄処理ができる。チップ７５をペール容器１から溢れさしたり、チップ７５の廃棄処理が遅れたりしてこぼしてしまうことがなくなる。蓋体２の上面部２１に透明部分２ｂ２がある構成で、シュレッダーに近づき下を向くときしか溜まったチップ７５のゴミを見ることができないので、シュレッダーがオフィス等に置かれても美観を損なうことはない。
加えて、蓋体２の一部にシュレッダー本体３が載ることから、バランス的に大きなペール容器１が装置基体になって、その上面開口１０に蓋する蓋体２に小さなシュレッダー本体３が取着されるので、装置が組み立てられても全体的に安定する。不安定になる場合は、ペール容器１の下部１ａに嵌合する凹部４１が形成された基盤４を用いることによって、凹部４１へのペール容器下部１ａのワンタッチ装着で転倒防止を簡単に解決できる。基盤４をコンクリート製等の比重が１より大のブロック体で形成すれば、場所をとらずにシュレッダーを安全にして有効に活用できる。
【００１９】
尚、本発明においては前記実施形態に示すものに限らず、目的，用途に応じて本発明の範囲で種々変更できる。ペール容器１,蓋体２,シュレッダー本体３,基盤４等の形状，大きさ，個数，材質等は用途に合わせて適宜選択できる。
【図面の簡単な説明】
【００２０】
【図１】実施形態１のシュレッダーの全体斜視図である。
【図２】正面視で見る図１の縦断面概略図である。
【図３】側面視で見る図１の縦断面概略図である。
【図４】シュレッダー本体が一体化した蓋体の裏面図である。
【図５】ペール容器の斜視図である。
【図６】実施形態２のシュレッダーの全体斜視図である。
【符号の説明】
【００２１】
１            ペール容器
１０          上面開口
２            蓋体
２１          上面部
２１ａ        シュレッダー口
２ｂ２          透明部分
３            シュレッダー本体
３３          排出口
４            基盤
７            紙
【図１】
2006212465.tif 000003
【図２】
2006212465.tif 000004
【図３】
2006212465.tif 000005
【図４】
2006212465.tif 000006
【図５】
2006212465.tif 000007
【図６】
2006212465.tif 000008